(57)【特許請求の範囲】
【請求項１】
互いに端面どうしを当接させて水路トンネルの長手方向に多数連結することにより水路トンネルの底壁及び仕切り壁を構成するプレキャストコンクリート製の隔壁ブロックに用いる、前記隔壁ブロックどうしを連結する連結構造であって、
前記隔壁ブロックの両端の各々に、互いに端面どうしを当接させた前記隔壁ブロックどうしを、両端に螺条を有する棒状の雄ねじ部材とこの雄ねじ部材の両端の螺条に夫々に螺合するナットとを介して締結するための締結構造が形成されており、
前記締結構造は、雄ねじ部材挿通孔と回転操作用凹部とを含み、
前記雄ねじ部材挿通孔は、雄ねじ部材を挿通するための直線状の挿通孔であり、先端が前記隔壁ブロックの端面に開口し、前記隔壁ブロックの延在方向に延在し、雄ねじ部材の全長を収容することのできる長さを有しており、
前記回転操作用凹部は、前記雄ねじ部材挿通孔の長さ方向の中間部において前記雄ねじ部材挿通孔と交わり、前記隔壁ブロックの側面に開口し、該回転操作用凹部において、前記雄ねじ部材挿通孔に挿通されている雄ねじ部材の端部の螺条にナットを螺合させることと、雄ねじ部材に螺合したナットを回転操作して締結することとが可能なように形成されており、
雄ねじ部材に螺合したナットが、前記回転操作用凹部の内壁面のうちの、前記隔壁ブロックの端面側に位置している内壁面を挟圧することにより、互いに端面どうしを当接させた前記隔壁ブロックどうしが連結されるようにした、
ことを特徴とする水路トンネルの隔壁ブロックの連結構造。
【請求項２】
前記隔壁ブロックは、水路トンネルの底壁を構成する底壁部と、水路トンネルの底壁の幅方向中間部から立設される仕切り壁を構成する仕切り壁部とが一体に形成され、
前記隔壁ブロックの両端の前記底壁部の端面に、前記底壁部の幅方向全長にわたり底壁部用凹溝が形成され、
前記隔壁ブロックの両端の前記仕切り壁部の端面に、前記仕切り壁部の上端から下方に延在し前記底壁部用凹溝に連通する仕切り壁用凹溝が形成され、
互いに端面どうしを当接させた前記隔壁ブロックの双方の前記底壁部用凹溝間と前記仕切り壁用凹溝間とに水膨張性パッキンを介装できるようにした、
ことを特徴とする請求項１記載の水路トンネルの隔壁ブロックの連結構造。
【発明の詳細な説明】
【０００１】
【発明の属する技術分野】
本発明はトンネルや水路トンネル内等に設置される隔壁ブロックの連結構造に関する。
【０００２】
【従来の技術】
従来、水路トンネル内等に、水路トンネルの底壁を構成する底壁部と、水路トンネルの底壁の幅方向中間部から立設された仕切り壁を設ける場合、トンネル内で型枠を組み立て、鉄筋を配筋したのち、前記型枠内にコンクリートを打設する現場打ち工法が採用されている。
しかしながら、型枠の組み立てや鉄筋の配筋には、多大な手間が掛り、作業の高効率化が望まれていた。
【０００３】
【発明が解決しようとする課題】
そこで、このような底壁部と仕切り壁部を備えたプレキャストコンクリート製の隔壁ブロックを用いることが考えられるが、隔壁ブロックの連結部の止水が条件とされることがあり、このような場合、目地処理やコーキング処理では、隔壁ブロックの連結部において止水を完全に行なえず、そのため、上記の条件を満たすことができず、ＰＣブロックは依然として用いられていない。
本発明は前記事情に鑑み案出されたものであって、本発明の目的は、ＰＣブロックを用いて隔壁を形成でき、しかも、ＰＣブロックの連結部での止水を確実に行なえる水路トンネルの隔壁ブロックの連結構造を提供することにある。
【０００４】
【課題を解決するための手段】
前記目的を達成するため、本発明は、互いに端面どうしを当接させて水路トンネルの長手方向に多数連結することにより水路トンネルの底壁及び仕切り壁を構成するプレキャストコンクリート製の隔壁ブロックに用いる、隔壁ブロックどうしを連結する連結構造であって、前記隔壁ブロックの両端の各々に、互いに端面どうしを当接させた前記隔壁ブロックどうしを、両端に螺条を有する棒状の雄ねじ部材とこの雄ねじ部材の両端の螺条に夫々に螺合するナットとを介して締結するための締結構造が形成されており、前記締結構造は、雄ねじ部材挿通孔と回転操作用凹部とを含み、前記雄ねじ部材挿通孔は、雄ねじ部材を挿通するための直線状の挿通孔であり、先端が前記隔壁ブロックの端面に開口し、前記隔壁ブロックの延在方向に延在し、雄ねじ部材の全長を収容することのできる長さを有しており、前記回転操作用凹部は、前記雄ねじ部材挿通孔の長さ方向の中間部において前記雄ねじ部材挿通孔と交わり、前記隔壁ブロックの側面に開口し、該回転操作用凹部において、前記雄ねじ部材挿通孔に挿通されている雄ねじ部材の端部の螺条にナットを螺合させることと、雄ねじ部材に螺合したナットを回転操作して締結することとが可能なように形成されており、雄ねじ部材に螺合したナットが、前記回転操作用凹部の内壁面のうちの、前記隔壁ブロックの端面側に位置している内壁面を挟圧することにより、互いに端面どうしを当接させた前記隔壁ブロックどうしが連結されるようにしたことを特徴とする。
本発明はまた、前記隔壁ブロックは、水路トンネルの底壁を構成する底壁部と、水路トンネルの底壁の幅方向中間部から立設される仕切り壁を構成する仕切り壁部とが一体に形成され、前記隔壁ブロックの両端の前記底壁部の端面に、前記底壁部の幅方向全長にわたり底壁部用凹溝が形成され、前記隔壁ブロックの両端の前記仕切り壁部の端面に、前記仕切り壁部の上端から下方に延在し前記底壁部用凹溝に連通する仕切り壁用凹溝が形成され、互いに端面どうしを当接させた前記隔壁ブロックの双方の前記底壁部用凹溝間と前記仕切り壁用凹溝間とに水膨張性パッキンを介装できるようにしたことを特徴とする。
【０００５】
本発明では、隣接する隔壁ブロックの底壁部の端面どうしと、仕切り壁部の端面どうしが、それらの端面の全長にわたり水膨張性パッキンが介在された状態で締結され、隔壁ブロックの連結部の止水が確実になされる。
【０００６】
【発明の実施の形態】
以下、本発明の実施の形態を添付図面に従って説明する。
図１は水路トンネルの断面図、図２は実施例に係る隔壁ブロックの側面図、図３は同平面図、図４は同正面図を示す。
図１に示すように、水路トンネル２は、底壁２０２と、底壁２０２の両側から立設された側壁２０４と、両側壁２０４の上部を連結する上壁２０６と、底壁２０２の幅方向中央から立設された仕切り壁２０８と、仕切り壁２０８の上端に取着された仕切り板２１０で構成され、水路トンネル２の内部は仕切り壁２０８と仕切り板２１０により左水路２Ａと右水路２Ｂに仕切られている。
前記側壁２０４と上壁２０６はＰＣ（プレキャストコンクリート）ブロック３で構成され、前記底壁２０２と仕切壁２０８は本発明の隔壁ブロック４より構成され、隔壁ブロック４もプレキャストコンクリート製である。
【０００７】
前記隔壁ブロック４は、前記底壁２０２を構成する底壁部６と、前記仕切り壁２０８を構成する仕切り壁部８とを備える。
前記隔壁ブロック４の延在方向の両端の前記底壁部６の端面６０２には、底壁部６の幅方向全長にわたり底壁部用凹溝１０が形成されている。
また、隔壁ブロック４の延在方向の両端の前記仕切り壁部８の端面８０２には、仕切り壁部８の上端から下方に延在し前記底壁部用凹溝１０に連通する仕切り壁用凹溝１２が形成されている。
尚、これら底壁部用凹溝１０と仕切り壁用凹溝１２は、図５〜図７に示すように、それぞれ水膨張性パッキン１４を挿入するためのものであり、水膨張性パッキン１４は、水に触れると膨張する性質を有するシール材で、従来公知の種々の市販品を用いることができる。
【０００８】
また、前記底壁部６の端面６０２で幅方向に間隔をおいた２箇所に、それぞれ雄ねじ部材挿通孔１６が隔壁ブロック４の延在方向に平行して所定の深さ形成され、前記底壁部６の上面にはナットの回転操作用凹部１８が前記雄ねじ部材挿通孔１６に臨むように形成されている。
また、前記仕切り壁部８の端面で上下方向の中間箇所に、雄ねじ部材挿通孔２０が隔壁ブロック４の延在方向に平行して所定の深さ形成され、前記仕切り壁部８の側面にはナットの回転操作用凹部２２が前記雄ねじ部材挿通孔２０に臨むように形成されている。
より詳しくは、隔壁ブロック４は、その両端の各々に、互いに端面どうしを当接させた隔壁ブロック４どうしを、両端に螺条を有する棒状の雄ねじ部材２６と、この雄ねじ部材２６の両端の螺条に夫々に螺合するナット２８とを介して締結するための締結構造が形成されている。
この締結構造は、雄ねじ部材挿通孔１６、２０と回転操作用凹部１８、２２とを含むものである。
雄ねじ部材挿通孔１６、２０は、棒状の雄ねじ部材２６を挿通するための直線状の挿通孔であり、先端が隔壁ブロック４の端面に開口し、隔壁ブロック４の延在方向に延在し、雄ねじ部材２６の全長を収容することのできる長さを有している。
また、回転操作用凹部１８、２２は、雄ねじ部材挿通孔１６、２０の長さ方向の中間部において雄ねじ部材挿通孔１６、２０と交わり、隔壁ブロック４の側面に開口し、この回転操作用凹部において、雄ねじ部材挿通孔１６、２０に挿通されている雄ねじ部材２６の端部の螺条にナット２８を螺合させることと、雄ねじ部材２６に螺合したナット２８を回転操作して締結することとが可能なように形成されている。
そして、雄ねじ部材２６に螺合したナット２８が、回転操作用凹部１８、２２の内壁面のうちの、隔壁ブロック４の端面側に位置している内壁面を挟圧することにより、互いに端面どうしを当接させた隔壁ブロック４どうしが連結される。
【０００９】
水路トンネル２は、上述のような構成の隔壁ブロック４を用いて次のように作られる。
図１に示すように、隔壁ブロック４の上方がＰＣブロック３で覆われるようにして、それぞれ隔壁ブロック４とＰＣブロック３をそれらの延在方向に並べる。この場合、図５に斜線で示すように、隣接する隔壁ブロック４のうちの一方の隔壁ブロック４の底壁部用凹溝１０と、仕切り壁用凹溝１２に水膨張性パッキン１４を挿入しておく。
そして、図６に正面図で、図７に平面図で示すように、底壁部６の端面６０２どうしと仕切り壁部８の端面８０２どうしを向かい合わせ、底壁部６と仕切り壁部８の向かい合う雄ねじ部材挿通孔１６、１６間と、雄ねじ部材挿通孔２０、２０間にわたり雄ねじ部材２６を挿入する。
次に、隣接する各隔壁ブロック４において、それぞれ底壁部６と仕切り壁部８の各回転操作用凹部１８、２２内で雄ねじ部材２６の端部にナット２８を螺合し、隣接する隔壁ブロック４の双方で雄ねじ部材２６の両端をナット２８で締め付けることで、隣接する隔壁ブロック４を締結する。
【００１０】
これにより、隣接する隔壁ブロック４の底壁部６の端面６０２間に、底壁部６の幅方向全長にわたり水膨張性パッキン１４が介在され、また、隣接する隔壁ブロック４の仕切り壁部８の端面６０２間に、仕切り壁部８の全長にわたり水膨張性パッキン１４が介在された状態で、隣接する隔壁ブロック４双方の底壁部６の端面６０２どうしと仕切り壁部８の端面８０２どうしとが当接され締結されることになる。
次に、仕切り壁の上端に、ＦＲＰ製の仕切り板２１０を取付け、ＰＣブロック３の両側壁２０４下端と、隔壁ブロック４の底壁部６の幅方向両端との間にコンクリートＣを打設して水路トンネル２が構築される。
【００１１】
本実施例の水路トンネル２では、上述のように隣接する隔壁ブロック４の底壁部６の端面６０２間に、底壁部６の幅方向全長にわたり水膨張性パッキン１４が介在され、また、隣接する隔壁ブロック４の仕切り壁部８の端面８０２間に、仕切り壁部８の全長にわたり水膨張性パッキン１４が介在されている。
従って、隣接する隔壁ブロック４の端面間に水が侵入しても、水は水膨張性パッキン１４により遮断され、左水路２Ａと右水路２Ｂ間での水の流通が確実に阻止される。
【００１２】
【発明の効果】
以上の説明で明らかなように、本発明は、互いに端面どうしを当接させて水路トンネルの長手方向に多数連結することにより水路トンネルの底壁及び仕切り壁を構成するプレキャストコンクリート製の隔壁ブロックに用いる、隔壁ブロックどうしを連結する連結構造であって、前記隔壁ブロックの両端の各々に、互いに端面どうしを当接させた前記隔壁ブロックどうしを、両端に螺条を有する棒状の雄ねじ部材とこの雄ねじ部材の両端の螺条に夫々に螺合するナットとを介して締結するための締結構造が形成されており、前記締結構造は、雄ねじ部材挿通孔と回転操作用凹部とを含み、前記雄ねじ部材挿通孔は、雄ねじ部材を挿通するための直線状の挿通孔であり、先端が前記隔壁ブロックの端面に開口し、前記隔壁ブロックの延在方向に延在し、雄ねじ部材の全長を収容することのできる長さを有しており、前記回転操作用凹部は、前記雄ねじ部材挿通孔の長さ方向の中間部において前記雄ねじ部材挿通孔と交わり、前記隔壁ブロックの側面に開口し、該回転操作用凹部において、前記雄ねじ部材挿通孔に挿通されている雄ねじ部材の端部の螺条にナットを螺合させることと、雄ねじ部材に螺合したナットを回転操作して締結することとが可能なように形成されており、雄ねじ部材に螺合したナットが、前記回転操作用凹部の内壁面のうちの、前記隔壁ブロックの端面側に位置している内壁面を挟圧することにより、互いに端面どうしを当接させた前記隔壁ブロックどうしが連結される構成とした。
そのため、水路トンネルを構成するプレキャストコンクリート製の隔壁ブロックどうしの連結を好適に行うことができる。
【図面の簡単な説明】
【図１】水路トンネルの断面図である。
【図２】実施例に係る隔壁ブロックの側面図である。
【図３】実施例に係る隔壁ブロックの平面図である。
【図４】実施例に係る隔壁ブロックの正面図である。
【図５】隔壁ブロックの底壁部用凹溝と仕切り壁用凹溝に水膨張性パッキンを挿入した状態の説明図である。
【図６】雄ねじ部材とナットを用いて隔壁ブロックを連結した状態の要部正面図である。
【図７】雄ねじ部材とナットを用いて隔壁ブロックを連結した状態の要部平面図である。
【符号の説明】
２  水路トンネル
４  隔壁ブロック
６  底壁部
８  仕切り壁部
１０  底壁部用凹溝
１２  仕切り壁用凹溝
１４  水膨張性パッキン
１６  雄ねじ部材挿通孔
１８  ナットの回転操作用凹部
２０  雄ねじ部材挿通孔
２２  ナットの回転操作用凹部
２６  雄ねじ部材
【図１】
0003781320.tif 000002
【図２】
0003781320.tif 000003
【図３】
0003781320.tif 000004
【図４】
0003781320.tif 000005
【図５】
0003781320.tif 000006
【図６】
0003781320.tif 000007
【図７】
0003781320.tif 000008